(57)【要約】【課題】洗浄力と洗浄感の高いノズル装置を簡単な構成で実現することにより、装置の小型化と低コスト化を図る。【解決手段】局部に向けて洗浄水を噴出する噴出口３１と、噴出口３１に連通し洗浄水を供給する流路２８とを備えたノズル本体２２において、流路２８に洗浄水に旋回成分を付与する旋回手段２８ｄを備え、噴出口３１は元の部分に開口面積の小さい小孔部３１ａと先端の部分に開口面積の大きい大孔部３１ｂを連接した二段形状とすることにより、小孔部３１ａより噴出した洗浄水の一部が旋回しながら大孔部３１ｂの内周壁に当接することにより、大孔部３１ｂより噴出する洗浄水は断続流となるため、洗浄力を高めるとともに、人体に強い洗浄感を与えることができる。【選択図】図６
2010101153.tif 000002
【特許請求の範囲】
【請求項１】
洗浄水を噴出する噴出口と、
前記噴出口に連通し洗浄水を供給する流路と、
前記流路に設けられ、前記洗浄水に旋回成分を付与する旋回部と、を有し、前記噴出口は前記流路に繋がった小孔部と、前記小孔部から開口端にかけて設けられ、前記小孔部より開口面積の大きい大孔部とを有するノズル本体と、
前記流路に接続され、前記流路に前記洗浄水を供給するための洗浄水供給口と、を備えた、
ノズル装置。
【請求項２】
前記大孔部と前記小孔部との連接部と前記大孔部の前記開口端の外周とを通る接線と、前記噴出口の中心線とが成す角度は５度以上、１５度以下である、
請求項１に記載のノズル装置。
【請求項３】
前記噴出口から前記流路内に突出した円筒形の突起部をさらに備え、前記噴出口は前記突起部の中央に設けられた、
請求項１または２に記載のノズル装置。
【請求項４】
前記噴出口は複数の噴出口の１つであり、前記流路は複数の流路の１つであり、前記複数の流路はそれぞれの噴出口に連通しており、前記複数の流路のうち少なくとも１つに前記旋回部が設けられ、前記旋回部が設けられた流路に連通した噴出口が前記小孔部と前記大孔部とを有する、
請求項１から３のいずれか一項に記載のノズル装置。
【請求項５】
前記ノズル本体の少なくとも一部を覆う筒状のノズルカバーをさらに備え、
前記ノズル本体と前記ノズルカバーとは相互に摺動可能であり、前記ノズルカバーには、前記ノズル本体の前記噴出口に対応する噴出開口が設けられた、
請求項１から４のいずれか一項に記載のノズル装置。
【請求項６】
前記ノズル本体を収容するケーシングと、
前記ノズル本体を前記ケーシングに対して進退駆動するノズル駆動部と、をさらに備えた、
請求項１から５のいずれか一項に記載のノズル装置。
【請求項７】
請求項１から６のいずれか一項に記載のノズル装置と、
前記洗浄水供給口から前記ノズル本体の前記流路に前記洗浄水を供給する洗浄水供給部と、
前記洗浄水供給部を制御する制御部と、を備えた、
衛生洗浄装置。
【請求項８】
前記ノズル装置は、
前記ノズル本体を収容するケーシングと、
前記ノズル本体を前記ケーシングに対して進退駆動するノズル駆動部と、をさらに有し、
前記衛生洗浄装置は、便器上に載置される便座と、をさらに備え、
前記制御部は前記ノズル駆動部を制御する、
請求項７に記載の衛生洗浄装置。
【請求項９】
前記ノズル本体の少なくとも一部を覆う筒状のノズルカバーをさらに備え、
前記ノズル本体と前記ノズルカバーとは相互に摺動可能であり、前記ノズルカバーには、前記ノズル本体の前記噴出口に対応する噴出開口が設けられた、
請求項７または８に記載の衛生洗浄装置。
【発明の詳細な説明】
【技術分野】
【０００１】
本発明は人体の局部を洗浄する洗浄水を噴出するノズル装置とそれを用いた衛生洗浄装置に関する。
【背景技術】
【０００２】
図２５は従来のノズル装置の横断面図、図２６はそのノズル装置の先端部の縦断面図である。断続流を噴出するノズル１の中央には流路２が設けられている。ノズル１の先端部には円形のノズル室３が設けられ、ノズル室３内には、複数の受水翼を有する回転体４が設置されている。ノズル室３の先端部の上部には第１噴出口５が設けられている。また第１噴出口５と同軸上となる上方には第２噴出口６が設けられている。第１噴出口５と第２噴出口６との間には外気連通する空気吸引口７が設けられている。
【０００３】
洗浄水を回転体４の受水翼に当てると回転体４が回転し、回転体４の上部に配設された第１噴出口５が断続的に開放される。これにより、チョッパー作用で洗浄水が断続的に噴出される。さらに洗浄水は空気吸引口７から空気を巻き込んで第２噴出孔６から噴出する。そのためノズル１は流量感を増した洗浄水を噴出することができる（例えば、特許文献１）。
【先行技術文献】
【特許文献】
【０００４】
【特許文献１】特開２００３−９６８８２号公報
【発明の概要】
【発明が解決しようとする課題】
【０００５】
上述の構成では、洗浄水を断続流にするために可動部品である回転体４を使用しており、洗浄水に含まれる塵芥等により回転体４の動作が阻害される可能性がある。また回転体４の構成が複数の受水翼を供えた複雑な形状であり、また洗浄水の力で回転させるためにはある程度の大きさが必要である。そのため、ノズル１を小型化することが難しい。
【０００６】
本発明の目的は、簡単な構成で故障が起きにくく小型で使い勝手がよく、しかも洗浄力の高い断続流を噴出するノズル装置と、それを用いた衛生洗浄装置を提供することである。
【課題を解決するための手段】
【０００７】
上記目的を達成するために、本発明のノズル装置は、ノズル本体と、洗浄水供給口とを有する。ノズル本体は洗浄水を噴出する噴出口と、噴出口に連通し洗浄水を供給する流路と、流路に設けられ、洗浄水に旋回成分を付与する旋回部とを有する。噴出口は流路に繋がった小孔部と、小孔部から開口端にかけて設けられ、小孔部より開口面積の大きい大孔部とを有する。洗浄水供給口は流路に接続され、流路に洗浄水を供給する。
【発明の効果】
【０００８】
上述の構成によって、小孔部より噴出した洗浄水の一部が旋回しながら大孔部の内周壁に当接することにより、大孔部より噴出する洗浄水は断続流となる。そのため、洗浄力を高めるとともに、人体に強い洗浄感を与えることができる。
【図面の簡単な説明】
【０００９】
【図１】本発明の実施の形態１におけるノズル装置を使用した衛生洗浄装置の斜視図
【図２】本発明の実施の形態１におけるノズル装置の収納状態を示す斜視図
【図３】本発明の実施の形態１におけるノズル装置の上ケースを外した斜視図
【図４】本発明の実施の形態１におけるノズル装置のお尻洗浄状態を示す斜視図
【図５】本発明の実施の形態１におけるノズル装置のビデ洗浄状態を示す斜視図
【図６】（ａ）本発明の実施の形態１におけるノズル装置のノズルユニットの要部断面図、（ｂ）噴出口の拡大断面図
【図７】図６（ａ）のＡ−Ａ線断面図
【図８】図６（ａ）のＢ−Ｂ線断面図
【図９】本発明の実施の形態１におけるノズル装置のノズル本体の要部斜視図
【図１０】本発明の実施の形態１におけるノズル装置のノズル本体の要部分解斜視図
【図１１】本発明の実施の形態１におけるノズル装置のノズル本体の要部平面図
【図１２】本発明の実施の形態１におけるノズル装置のノズルカバーの斜視図
【図１３】本発明の実施の形態１におけるノズル装置のノズルカバーの分解斜視図
【図１４】本発明の実施の形態１におけるノズル装置の収納状態を示す縦断面図
【図１５】本発明の実施の形態１におけるノズル装置のお尻洗浄状態を示す縦断面図
【図１６】本発明の実施の形態１におけるノズル装置のビデ洗浄状態を示す縦断面図
【図１７】本発明の実施の形態１におけるノズル装置の収納状態を示す横断面図
【図１８】本発明の実施の形態１におけるノズル装置のお尻洗浄状態を示す横断面図
【図１９】本発明の実施の形態１におけるノズル装置の最前位置状態を示す横断面図
【図２０】本発明の実施の形態１におけるノズル装置のビデ洗浄状態を示す横斜視図
【図２１】本発明の実施の形態１におけるノズル装置の連結手段を示す断面図
【図２２】本発明の実施の形態１におけるノズル装置の連結手段を示す断面図
【図２３】本発明の実施の形態２におけるノズル装置のノズルユニットの要部断面斜視図
【図２４】本発明の実施の形態２におけるノズル装置のノズルユニットの要部断面斜視図
【図２５】従来のノズル装置の横断面図
【図２６】従来のノズル装置の要部の縦断面図
【発明を実施するための形態】
【００１０】
本発明による第１の発明は、ノズル本体と、洗浄水供給口とを有するノズル装置である。ノズル本体は洗浄水を噴出する噴出口と、噴出口に連通し洗浄水を供給する流路と、流路に設けられ、洗浄水に旋回成分を付与する旋回部とを有する。噴出口は流路に繋がった小孔部と、小孔部から開口端にかけて設けられ、小孔部より開口面積の大きい大孔部とを有する。洗浄水供給口は流路に接続され、流路に洗浄水を供給する。このように噴出口を二段形状とすることにより、小孔部より噴出した洗浄水の一部が旋回しながら大孔部の内周壁に当たり、当たった洗浄水が周方向に遥動することとなり、大孔部より噴出する洗浄水は断続流となる。そのため洗浄対象である局部の洗浄力が高まるとともに、人体に強い洗浄感を与えることができる。
【００１１】
本発明による第２の発明は、第１の発明において、噴出口の大孔部と小孔部との連接部と大孔部の先端外周との接線と、噴出口の中心線とが成す角度を５度以上、１５度以下としたノズル装置である。この範囲とすることにより、小孔部より噴出した洗浄水を大孔部の先端近傍に当接させることができ、洗浄水に効果的な断続流を発生させることが可能となり、洗浄力と洗浄感をより高めることができる。
【００１２】
本発明による第３の発明は、第１または第２の発明において、噴出口から流路内に突出した円筒形の突起部を有し、この突起部の中央に噴出口を配置したノズル装置である。この構成により、流路内を流れる洗浄水は、流路内に設置した旋回部により旋回成分を付与されるとともに、円筒形状の突起部の周辺を旋回することにより、旋回成分が補強される。そのため、噴出する洗浄水の洗浄力と洗浄感をより高めることができる。
【００１３】
本発明による第４の発明は、第１から第３の発明において、ノズルに複数の噴出口と、各噴出口に連通した複数の流路を設け、少なくとも１個の流路に旋回部を設けるとともに、旋回部を設けた流路に連通した噴出口を二段形状としたノズル装置である。この構成により、複数の洗浄機能を１個のノズル装置に備えさせることが可能となり、小型のノズル装置を提供することができる。
【００１４】
本発明による第５の発明は、第１から第４の発明において、ノズル本体の少なくとも一部を覆う筒状のノズルカバーをさらに有するノズル装置である。ノズル本体とノズルカバーは相互に摺動可能であり、ノズルカバーにはノズルの少なくとも１個の噴出口に対応する噴出開口を有している。噴出口から噴出する洗浄水は噴出開口を介して噴出することにより、洗浄水噴出時にはノズル、特に噴出口の近傍はノズルカバーで覆われており、洗浄により汚れた洗浄水でノズルが汚染されることが少なく衛生的である。
【００１５】
本発明による第６の発明は、第１から第５の発明において、ノズル本体を収容するケーシングと、ノズル本体をケーシングに対して進退駆動するノズル駆動部とをさらに有するノズル装置である。この構成によってノズル本体を進退駆動することができる。
【００１６】
本発明による第７の発明は、第１から第６の発明のノズル装置と、洗浄水供給部と、制御部とを有する衛生洗浄装置である。この構成では、局部に向けて噴出する洗浄水は３次元的に揺動した噴流となる。そのため洗浄力を高めるとともに、人体に強い洗浄であるという感覚が生じる。したがって、衛生的で使い勝手のよい衛生洗浄装置を提供することができる。
【００１７】
本発明による第８の発明は、第７の発明において、ノズル装置がケーシングとノズル駆動部とをさらに有するとともに、便器上に載置される便座を有する衛生洗浄装置である。ケーシングはノズル本体を収容する。ノズル駆動部はノズル本体をケーシングに対して進退駆動する。制御部は洗浄水供給部とともにノズル駆動部を制御する。この構成によってノズル本体を進退駆動することができる。
【００１８】
本発明による第９の発明は、第７または第８の発明において、ノズル本体の少なくとも一部を覆う筒状のノズルカバーをさらに有する衛生洗浄装置である。この構成により、第５の発明と同様の効果が得られる。
【００１９】
以下、本発明の実施の形態について、図面を参照しながら説明する。なお、この実施の形態によって本発明が限定されるものではない。
【００２０】
（実施の形態１）
図１は本発明の実施の形態１におけるノズル装置を用いた衛生洗浄装置を便器に設置した状態の斜視図である。図２は同ノズル装置の収納状態を示す斜視図である。図３は同ノズル装置全体の上ケースを外した状態の斜視図、図４は同ノズル装置のお尻洗浄位置での斜視図、図５は同ノズル装置のビデ洗浄位置での斜視図である。図６（ａ）は同ノズル装置の先端部の要部断面図、図６（ｂ）は図６（ａ）におけるお尻洗浄噴出口の拡大断面図である。
【００２１】
図７は図６（ａ）のＡ−Ａ線断面図、図８は図６（ａ）のＢ−Ｂ線断面図である。図９は同ノズル装置のノズル本体の要部斜視図である。図１０は同ノズル本体の要部分解斜視図である。図１１は同ノズル本体の要部平面図である。
【００２２】
図１２は同ノズル装置のノズルカバーの斜視図、図１３は同ノズルカバーの分解斜視図である。図１４は同ノズル装置の収納状態を示す縦断面図であり、図１５は同ノズル装置のお尻洗浄状態を示す縦断面図であり、図１６は同ノズル装置のビデ洗浄状態を示す縦断面図である。
【００２３】
図１７は同ノズル装置の収納状態を示す横断面図、図１８は同ノズル装置のお尻洗浄状態を示す横断面図、図１９は同ノズル装置の最前位置状態を示す横断面図、図２０は同ノズル装置のビデ洗浄状態を示す横斜視図である。図２１、図２２は同ノズル装置の連結部分を示す断面図である。
【００２４】
図１に示すように、便器１０の上面に設置された衛生洗浄装置１１は、ノズル装置１５と、本体１２と、便座１３と、蓋１４とを有する。本体１２は便器１０の後部に配設され、便座１３と蓋１４とを回動可能に支持している。ノズル装置１５は本体１２の前部に設置されている。本体１２は、ノズル装置１５の流路に洗浄水を供給する洗浄水供給部（図示せず）と、ノズル装置１５と洗浄水供給部とを制御する制御部（図示せず）とを内蔵している。
【００２５】
次に図２〜図５を用いてノズル装置１５の構成を説明する。ノズル装置１５は、ノズル本体２２とノズルカバー２３とを含むノズルユニット２１と、ケーシング１６と、ノズルシャッタ４２と、洗浄水供給口２８ａ〜３０ａを有する。ケーシング１６は上下に分離可能な上ケース１７と下ケース１８とを組み合わせて構成されている。上ケース１７と下ケース１８とは樹脂材料を成型して形成されている。
【００２６】
図３、図４に示すように、ケーシング１６の中央部には略円筒形のノズルガイド１９が形成されている。図３に示すようにノズルガイド１９の一端には先端開口２０が設けられている。ノズルガイド１９内には円筒形のノズルユニット２１が摺動自在に設置されている。ノズルユニット２１は、図３に示すようにノズルガイド１９内に収容した位置と、図５に示すように先端開口２０より突出した洗浄位置との間を進退可能に配置されている。まずノズルユニット２１の構成とその詳細を説明する。
【００２７】
図３に示すようにノズルユニット２１は、略円筒形のノズル本体２２と、ノズル本体２２を収容する略円筒形状のノズルカバー２３と、ノズル本体２２でノズルカバー２３を牽引する連結部分２４とで構成されている。ノズルカバー２３はノズル本体２２の少なくとも一部を覆っている。ノズル本体２２とノズルカバー２３は相互に摺動可能である。
【００２８】
まずノズル本体２２の構成を中心に説明する。図６（ａ）に示すようにノズル本体２２は、元部分の外径が大きい大径部２５と、先端部分の外径が小さいビデノズル部２６とから構成されている。大径部２５とビデノズル部２６の中心位置は異なり、ビデノズル部２６は大径部２５の下部に配置されている。また、大径部２５の外径はノズルカバー２３の内径より僅かに小さく、ノズル本体２２とノズルカバー２３とは互いにスムーズに摺動可能な寸法関係となっている。ノズル本体２２は樹脂材料を成型して作製されている。ステンレス製のカバー２７はビデノズル部２６の全体を覆っている。
【００２９】
図７に示すように、ノズル本体２２の内部には、お尻洗浄流路２８と、ビデ洗浄流路２９と、ノズル洗浄流路３０の３本の流路が形成されている。図２に示す洗浄水供給口２８ａ、２９ａ、３０ａはそれぞれお尻洗浄流路２８、ビデ洗浄流路２９、ノズル洗浄流路３０に繋がり、各流路に洗浄水を供給する。洗浄水供給口２８ａ、２９ａ、３０ａはホース（図示せず）を介して洗浄水供給部（図示せず）と連通している。
【００３０】
お尻洗浄流路２８は元の部分から大径部２５の先端部近傍まで設けられている。図６（ａ）に示すように、お尻洗浄流路２８の先端は大径部２５の上面に設けられたお尻洗浄噴出口３１に繋がっている。ビデ洗浄流路２９は元の部分からビデノズル部２６の略先端部まで設けられている。ビデ洗浄流路２９の先端はビデノズル部２６の上面に設けられたビデ洗浄噴出口３２に繋がっている。ノズル洗浄流路３０は元の部分から大径部２５の略先端部まで設けられている。図８に示すように、ノズル洗浄流路３０の先端は大径部２５の外側面と下方に設けられたノズル洗浄噴出口３３とに繋がっている。
【００３１】
ノズル本体２２内に３本の流路を配設するために、図７に示すようにお尻洗浄流路２８とノズル洗浄流路３０はノズル本体２２の中心に対して左右対称に配置されている。お尻洗浄流路２８はノズル本体２２の中心から水平方向にずれた場所に位置している。
【００３２】
図８に示すようにお尻洗浄噴出口３１はノズル本体２２の中心に配置されている。そして図１１に示すようにお尻洗浄流路２８はお尻洗浄噴出口３１の近傍で湾曲した湾曲部２８ｂを介してお尻洗浄噴出口３１に連接している。
【００３３】
図１１は湾曲部２８ｂの詳細を示している。湾曲部２８ｂの流路の中央より湾曲の中心寄りには、湾曲部２８ｂと同様に湾曲する整流壁２８ｃが配置されている。整流壁２８ｃの厚みは、例えば０．５ｍｍである。整流壁２８ｃの上流側の端部には、洗浄水に旋回成分を付与する旋回部を構成する旋回突起２８ｄが一体に形成されている。お尻洗浄流路２８を流れる洗浄水は湾曲部２８ｂの湾曲形状と旋回突起２８ｄにより旋回成分が付与される。
【００３４】
湾曲部２８ｂを形成するために、本実施の形態においてはノズル本体２２のお尻洗浄噴出口３１の近傍は、図９、図１０に示すように上下別部品で形成されている。すなわち、この部分は、ノズル基材２２ａにノズル蓋２２ｂを上方から接着した構成となっている。ノズル基材２２ａにはお尻洗浄流路２８が一体に形成されている。ノズル蓋２２ｂはお尻洗浄噴出口３１と整流壁２８ｃと旋回突起２８ｄとを有する。またノズル基材２２ａには２個の位置決め孔２２ｃが設けられ、ノズル蓋２２ｂには２個の位置決めボス２２ｄが設けられている。そして位置決め孔２２ｃと位置決めボス２２ｄとが互いに嵌合する。この構成により、整流壁２８ｃと旋回突起２８ｄとお尻洗浄流路２８との位置の精度が向上する。
【００３５】
ノズル蓋２２ｂの、お尻噴出口３１を設けられた部分には、お尻噴出口３１からお尻洗浄流路２８内に突出する略円筒形状の突起部３１ｃが形成されている。お尻噴出口３１は突起部３１ｃの略中央に開口している。突起部３１ｃを設けることにより、洗浄水が円筒形状の突起部３１ｃに沿って流れることで旋回成分が補強される。そのため、噴出する洗浄水の洗浄力と洗浄感をより高めることができる。
【００３６】
お尻噴出口３１は１個の開口であり、図６（ａ）、図６（ｂ）および図８に示すように、小孔部３１ａと大孔部３１ｂからなる二段形状で形成されている。すなわち、お尻噴出口３１の元の部分は開口面積の小さい小孔部３１ａである。お尻噴出口３１の先端部分は開口面積の大きい大孔部３１ｂである。小孔部３１ａと大孔部３１ｂが切り替わる角の部分は、直角に切り立ったエッジ形状で形成されている。エッジ形状で形成することにより、流れの剥離が起こりやすくなる。
【００３７】
このように噴出口３１を二段形状とすることにより、小孔部３１ａより噴出した洗浄水の一部が旋回しながら大孔部３１ｂの内周壁に当たり、当たった洗浄水が周方向に遥動する。そのため、大孔部３１ｂより噴出する洗浄水は断続流となる。そのため洗浄対象である局部の洗浄力が高まるとともに、人体に強い洗浄感を与えることができる。
【００３８】
図６（ｂ）に示すように、小孔部３１ａと大孔部３１ｂとの寸法の関係は以下のようになっていることが好ましい。ここで、小孔部３１ａと大孔部３１ｂが切り替わるエッジ形状の角の部分と、大孔部３１ｂの先端外周とを通る線を接線Ｃとする。そしてお尻噴出口３１の中心軸を中心線Ｄとする。接線Ｃと中心線Ｄとが成す角度Ｅは、お尻噴出口３１から噴出する洗浄水を断続流にするための重要な技術要素であり、角度Ｅを５度以上、１５度以下の範囲に設定することが好ましい。この範囲とすることにより、小孔部３１ａより噴出した洗浄水を大孔部３１ｂの先端近傍に当接させることができ、洗浄水に効果的な断続流を発生させることが可能となり、洗浄力と洗浄感をより高めることができる。
【００３９】
特に角度Ｅが７度以上、１０度以下の範囲になるように大孔部３１ｂを設定すれば効果的な断続流を得ることができるためさらに好ましい。断続的に洗浄水が局部に当たることで、洗浄力が高まるとともに人体に強い洗浄であるという感覚が生じる。そのため、実際に局部にかかる荷重よりも強く感じられ、高い満足感を与える効果が生まれる。
【００４０】
図９〜図１１に示すように、ビデ洗浄噴出口３２は複数の開口で構成されている。また図８に示すように、ノズル洗浄噴出口３３は下方に向けて設けられた内部洗浄噴出口３３ａと側面上方に設けられた外部洗浄噴出口３３ｂとを有する。内部洗浄噴出口３３ａと外部洗浄噴出口３３ｂの噴出方向はノズル本体２２の直径方向に対しオフセットした方向に設定されている。
【００４１】
次にノズルカバー２３の構成を中心に説明する。図１２、図１３に示すようにノズルカバー２３は、ステンレスの薄板を円筒状に形成したノズルカバー本体２３ａと、樹脂成型品であるカバー後端部材２３ｂとで構成されている。カバー後端部材２３ｂには、下部が解放した略半円筒形状の両側部に水平方向に張り出した連結受部４８と位置決め突起５１とが設けられている。ノズルカバー本体２３ａと、カバー後端部材２３ｂの重合部２３ｃとが重合する。そしてカバー後端部材２３ｂの両側の開放端の近傍に設けられた固定突起２３ｄが、ノズルカバー本体２３ａに設けられた固定穴２３ｅに嵌合する。これによりノズルカバー本体２３ａとカバー後端部材２３ｂとが接合、固定されている。
【００４２】
固定穴２３ｅの内径寸法は固定突起２３ｄの外形寸法より多少大きく形成されている。そのためノズルカバー本体２３ａあるいはカバー後端部材２３ｂの寸法に多少誤差が生じても組立可能である。
【００４３】
また、カバー後端部材２３ｂの重合部２３ｃの寸法は他の部分より小さく、ノズルカバー本体２３ａの内面と略等しい寸法に成型されている。そのためカバー後端部材２３ｂとノズルカバー本体２３ａとは密接して重合する。
【００４４】
一方、図３に示すようにカバー後端部材２３ｂの上面中央には、前方に突出した突起２３ｆが設けられている。一方、ノズルカバー本体２３ａの後端部には凹部２３ｇが設けられている。突起２３ｆが凹部２３ｇと係合することにより、ノズルカバー本体２３ａがカバー後端部材２３ｂに対して回転することが規制される。また突起２３ｆと凹部２３ｇとを略同寸法に形成することが好ましい。これにより、上述のようにノズルカバー本体２３ａあるいはカバー後端部材２３ｂの寸法に多少誤差が生じても、ノズルカバー本体２３ａとカバー後端部材２３ｂを適切な位置で確実に接合できる。そのため接着剤や接合部材を使用する必要はない。
【００４５】
上述のようにノズルカバー２３は、ノズルカバー本体２３ａとカバー後端部材２３ｂを接合して構成されている。ノズルカバー２３の後端面は開放面となっている。この後端面よりノズル本体２２が挿入可能な形状となっている。先端面には図５に示すように、ノズル本体２２のビデノズル部２６が貫通可能なビデノズル出入口３５が設けられている。ビデノズル出入口３５は、ビデノズル部２６のみが突出可能な構成となっており、ビデノズル部２６はノズルカバー２３のビデノズル出入口３５より略全体を突出した状態と収容した状態の間を移動可能となっている。
【００４６】
ノズルカバー２３には、図８に示すようにお尻洗浄開口３６とノズル洗浄開口３７が設けられている。お尻洗浄開口３６とノズル洗浄開口３７は、ノズル本体２２をノズルカバー２３に収容した状態で、ノズル本体２２のお尻洗浄噴出口３１とノズル洗浄噴出口３３に対応する位置にそれぞれ設けられている。お尻洗浄噴出口３１とノズル洗浄噴出口３３から噴出した洗浄水はお尻洗浄開口３６とノズル洗浄開口３７に直接接触することなく通過して噴射される。
【００４７】
図１４〜図１６に示すようにノズル本体２２の下面には略全長に亘って歯型状のラック３４が形成されている。図７に示すようにノズルカバー２３の下面後方には、ラック３４に対応する位置にスリット状のラック開口３８が設けられている。そして図６（ａ）に示すようにノズルカバー２３の下面前方にはノズルカバー２３内の洗浄水を排出する排水口３９が設けられている。
【００４８】
次にケーシング１６の構成について説明する。図２〜図５に示すように、ケーシング１６は、ノズル本体２２とノズルカバー２３と連結部分２４とで構成されたノズルユニット２１を収容する。ケーシング１６にはノズルガイド１９が設けられている。ノズルガイド１９の後部の内径はノズルカバー２３の外径より僅かに大きくなっている。そのためノズルカバー２３とノズルガイド１９とはスムーズに摺動できる。
【００４９】
図３に示すように、ノズルガイド１９の先端開口２０の近傍には、内径の大きい洗浄拡大部４０が設けられている。ノズルユニット２１の収納位置において、洗浄拡大部４０は図８に示すノズル洗浄噴出口３３およびお尻洗浄噴出口３１を十分にカバーする奥行きを有する。洗浄拡大部４０の内径はノズルカバー２３の外面と略全周に亘り僅かな隙間を形成する寸法となっている。この隙間にノズル洗浄用の洗浄水が流通可能な構成となっている。また図３に示すように、洗浄拡大部４０の下部には洗浄水を排出する排水口４１が設けられている。
【００５０】
また、ノズルガイド１９の先端開口２０の上部には、上下に回動自在なノズルシャッタ４２が設けられている。ノズルシャッタ４２はノズルガイド１９の先端開口２０の上部に支持されている。ノズルシャッタ４２は、ノズルユニット２１をノズルガイド１９に収納した状態で先端開口２０を閉塞することができる。ノズルユニット２１が洗浄位置に進出するとき、ノズルシャッタ４２はノズルユニット２１の先端で押進されることにより上方に開成する。ノズルユニット２１が収納位置に収納したとき、ノズルシャッタ４２はその自重で下方に回動し閉成する。
【００５１】
次にノズル装置１５を駆動する構造について、図１４〜図１６を参照しながら説明する。図１４は収納状態を示し、図１５はお尻洗浄状態を示し、図１６はビデ洗浄の状態を示している。
【００５２】
ケーシング１６の下部にはノズル駆動部４３が設置されている。ノズル駆動部４３は、駆動モータ４４とウォームギア（図示せず）と変速ギア４５とピニオンギア４６とを有する。ピニオンギア４６は図７に示したノズルカバー２３のラック開口３８を介してノズル本体２２の下面に設けられたラック３４と噛合する位置に配置されている。駆動モータ４４の回転はウォームギアと変速ギア４５を介して回転速度を落としてピニオンギア４６に伝達される。ピニオンギア４６が回転することにより、ラック３４を有するノズル本体２２が摺動する。駆動モータ４４は制御部（図示せず）に接続され、制御部が運転を制御する。また、駆動モータ４４の後部には駆動モータ４４の回転数を検知する回転検知センサ４７が設置されている。
【００５３】
次に、図１７〜図２２を主に参照しながらノズル本体２２とノズルカバー２３を牽引移動させる連結部分２４について説明する。図３に示したように、ノズル本体２２とノズルカバー２３には、ノズル本体２２の移動によりノズルカバー２３を牽引移動させる連結部分２４が設けられている。連結部分２４は、連結受部４８と、連結部材４９で構成されている。連結受部４８は図１２に示すようにカバー後端部材２３ｂの一方の側面に設けられ、連結部材４９は図２１、２２に示すようにノズル本体２２の後端部に設けられている。
【００５４】
図１２、図２１、図２２に示すように、樹脂材料を成型して形成された連結受部４８は、カバー後端部材２３ｂの一方の側面にノズルカバー２３と平行に設置されている。連結受部４８の下面には前後に間隔を開けて２ヶ所に前凹陥部４８ａと後凹陥部４８ｂとが設けられている。前凹陥部４８ａと後凹陥部４８ｂの間隔はビデノズル部２６の長さと略等しい寸法となっている。
【００５５】
連結部材４９はノズル本体２２の後端部の側面に設けられている。連結部材４９は連結部材本体４９ａと摺動規制突起４９ｂと連結片５０とを有する。連結部材本体４９ａはノズル本体２２と一体に成型されている。連結片５０は、連結受部４８に対向するように連結部材本体４９ａに設けられている。連結片５０は弾性を有する金属材料で形成され、その一端は連結部材４９に固定されている。他端（先端）には連結突起５０ａが形成されている。連結突起５０ａは連結受部４８の前凹陥部４８ａと後凹陥部４８ｂに嵌入する形状となっている。連結突起５０ａが前凹陥部４８ａまたは後凹陥部４８ｂに嵌入することにより連結部材４９と連結受部４８が連結し、ノズル本体２２とノズルカバー２３が連動可能となる。
【００５６】
また、カバー後端部材２３ｂの連結受部４８を設けられた側と反対の側面には、例えば図１７に示すように位置決め突起５１が設けられている。位置決め突起５１はケーシング１６のノズルガイド１９側部に設けられた前ストッパ５２と後ストッパ５３に当接することによりノズルカバー２３の摺動範囲を規制する。
【００５７】
位置決め突起５１の中央部には前後方向に長い摺動規制溝５１ａが形成されている。図１７〜図２０に示すように連結部材本体４９ａに設けられた摺動規制突起４９ｂが摺動規制溝５１ａに装入される。摺動規制溝５１ａ内を摺動規制突起４９ｂが移動することにより、連結部材４９と連結受部４８相互の摺動範囲が規制される。なお、摺動規制突起４９ｂの移動範囲は前凹陥部４８ａと後凹陥部４８ｂの離間距離より僅かに長くなっている。これによりノズル本体２２に強い力が加えられ、前凹陥部４８ａあるいは後凹陥部４８ｂから逆方向に連結突起５０ａが飛び出すことを規制することができる。
【００５８】
以上のように構成されたノズル装置１５の動作、作用を以下に説明する。まず、図２に示すノズル装置１５を使用しない収納状態において、ノズル本体２２はノズルガイド１９の最も後部に位置し、ノズルカバー２３も摺動範囲の最も後部に位置している。ノズルカバー２３に設けられた位置決め突起５１は、ノズルガイド１９側部に設けられた後ストッパ５３に当接した状態であり、ノズル本体２２、ノズルカバー２３ともに最も後退した位置に配置されている。この時、連結片５０の連結突起５０ａは図２１に示すように連結受部４８の後凹陥部４８ｂに嵌入した状態になっている。摺動規制突起４９ｂは図１７に示すように摺動規制溝５１ａの後端部近傍に配置している。
【００５９】
収納状態から洗浄を開始する際には、まず、使用者が操作パネル等の操作部（図示せず）を操作することにより、制御部（図示せず）が制御を開始して駆動モータ４４を回転させる。駆動モータ４４の回転がピニオンギア４６に伝えられることによりピニオンギア４６と噛み合ったラック３４を有するノズル本体２２が後方に移動しようとする。しかしながら、ノズル本体２２はこれ以上後方に移動できないため、その前後方向の位置は変化しない。この位置を原点としてこれ以降のノズル本体２２の位置を駆動モータ４４の回転数を回転検知センサ４７で検知することで、ノズル本体２２の移動量を推定しながら位置制御することが可能となる。
【００６０】
次に制御部は駆動モータ４４を逆回転させてノズル本体２２を前方に移動させる。このとき図２１に示すように連結片５０の連結突起５０ａが連結受部４８の後凹陥部４８ｂに嵌入した状態が保たれている。そのため、ノズルカバー２３はノズル本体２２に牽引され一体化した状態で前方に移動する。
【００６１】
使用者がお尻洗浄の操作を行った場合、図４、図１５、図１８に示すように、ノズル本体２２およびノズルカバー２３が前方に移動する。そしてノズル本体２２およびノズルカバー２３は、あらかじめ設定しておいた制御シーケンスに従い、原点状態からの駆動モータ４４の回転数が設定値に達すると停止する。このとき、ノズルカバー２３に設けられた位置決め突起５１はノズルガイド１９の側部に設けられた前ストッパ５２に接触する手前で停止した状態であり、この位置がお尻洗浄の標準位置となる。
【００６２】
この状態で、制御部は洗浄水供給部（図示せず）を制御し、お尻洗浄流路２８に通水することでお尻洗浄が開始される。お尻洗浄流路２８に流入した洗浄水は図１１に示す直線部２８ｓから湾曲部２８ｂを通過してお尻洗浄噴出口３１から噴出する。
【００６３】
湾曲部２８ｂには旋回突起２８ｄを有する整流壁２８ｃが配置されている。そのため湾曲部２８ｂにおいては、外周側の流速が速くなり、内周側の流速が遅くなる。これによって整流壁２８ｃの下流側で旋回流が発生し、お尻噴出口３１に旋回流が流入する。
【００６４】
お尻噴出口３１に流入した洗浄水は旋回しながら図６（ｂ）に示す小孔部３１ａから大孔部３１ｂへと流入する。大孔部３１ｂ内に流入した洗浄水は小孔部３１ａと大孔部３１ｂが切り替わる角部で一旦剥離を起こし、拡散しながら大孔部３１ｂの先端方向に流れる。大孔部３１ｂ内を流れる間に洗浄水の一部は大孔部３１ｂの内周壁に当接することにより、洗浄水が切断され断続流となって大孔部３１ｂの先端より使用者の局部向けて噴出する。洗浄水が断続流となることにより洗浄効果が向上するとともに、使用者は実際に局部にかかる荷重よりも強く感じ、強い洗浄感を得るという効果が生まれる。
【００６５】
なお、お尻洗浄噴出口３１とビデ洗浄噴出口３２の上部はノズルカバー２３によって覆われている状態であり、お尻洗浄によって生じた汚水が直接かからないため、お尻洗浄噴出口３１とビデ洗浄噴出口３２は清潔に保たれる。
【００６６】
また通水する流路の切替および流量の調節は洗浄水供給部に設けられた流量調整弁（図示せず）によって行われる。流量調節弁のシール性が不十分である場合、お尻洗浄流路２８とビデ洗浄流路２９の流量切替が完全に行われずお尻洗浄中にもビデ洗浄噴出口２９から微小量の水が噴出しそうになる。しかしながらビデ洗浄噴出口２９の上部がノズルカバー２３で覆われているため、その水がノズルユニット２１の外部に噴出される虞がない。
【００６７】
お尻洗浄を行っている状態で駆動モータ４４を正転、逆転を交互に繰り返すように駆動させると、ノズル本体２２とノズルカバー２３は標準位置に対して前後に揺動した状態となる。この動作により洗浄水は人体の局所のより広い範囲を同時に洗浄できる。
【００６８】
使用者がお尻洗浄の停止を操作すると、駆動モータ４４は逆回転し、ノズル本体２２およびノズルカバー２３は後方へ移動し、元の収納状態に戻る。
【００６９】
次に使用者がビデ洗浄を選択した場合、制御部がお尻洗浄の場合と同様にノズル本体２２の原点位置を確認した後、駆動モータ４４を逆回転させ、ノズル本体２２とノズルカバー２３を前方に移動させる。そしてビデ洗浄の場合はお尻洗浄位置を越えてさらにノズル本体２２を前方に移動させる。
【００７０】
このとき図１９に示すように、ノズルカバー２３に設けられた位置決め突起５１は前ストッパ５２に当接し、ノズルカバー２３はこれ以上前に移動することができない。さらにノズル本体２２を前方に移動させると、図２１に示す連結片５０の連結突起５０ａが後凹陥部４８ｂから外れる。このような動作が可能となるように、ノズル本体２２を前後方向に移動させる駆動モータ４４の駆動トルクは連結突起５０ａを外すのに要する荷重値よりも大きく設定されている。
【００７１】
連結突起５０ａが後凹陥部４８ｂから外れると、ノズル本体２２とノズルカバー２３は分離された状態となる。そのため図１９に示すように、前ストッパ５２によって移動が規制されたノズルカバー２３に対して、ノズル本体２２だけが前方に移動する。そして、ノズル本体２２のビデノズル部２６がノズルカバー２３の先端面に設けられたビデノズル出入口３５から進出し始める。
【００７２】
さらにノズル本体２２を前方に移動させると図２２に示すように連結突起５０ａは前凹陥部４８ａにはまり込んでゆく。連結突起５０ａが前凹陥部４８ａに完全に嵌入すると、図１９に示すようにノズル本体２２のビデノズル部２６がビデノズル出入口３５から完全に進出した状態となる。この時点でノズル本体２２の前方移動が終了するように、あらかじめ制御シーケンスによって駆動モータ４４の回転数により、制御部が位置制御を行う。この時、駆動モータ４４の誤作動によりノズル本体２２をもっと前方に移動させようとしても、摺動規制突起４９ｂが摺動規制溝５１ａの前端に当接しそれ以上前方への移動を規制する。これにより、連結突起５０ａが前凹陥部４８ａから飛び出すことがない。
【００７３】
このように連結突起５０ａが前凹陥部４８ａに嵌入した状態で駆動モータ４４をわずかに逆回転させることでノズル本体２２を後方に移動させ、ビデ洗浄の標準位置まで移動させた時点で駆動モータ４４を停止させる。この状態が図２０に示すビデ洗浄の標準位置となる。
【００７４】
ビデ洗浄の標準位置にノズル本体２２が到達した時点で、制御部は洗浄水供給部を制御し、ビデ洗浄流路２９に通水を開始する。このようにしてビデ洗浄が開始される。前述のように通水流路の切替および流量の調節は洗浄水供給部の流量調整弁によって行われる。
【００７５】
この時、お尻洗浄噴出口３１の上部はノズルカバー２３によって覆われている状態であり、ビデ洗浄によって生じた汚水がお尻洗浄噴出口３１に直接かからない。そのため、お尻洗浄噴出口３１は清潔に保たれる。また流量調節弁のシール性が不十分である場合、お尻洗浄流路２８とビデ洗浄流路２９の流量切替が完全に行われずビデ洗浄中にもお尻洗浄噴出口３１から微小量の水が噴出しそうになる。しかしながらお尻洗浄噴出口３１の上部がノズルカバー２３で覆われているため、その水がノズルユニット２１の外部に噴出される虞がない。
【００７６】
ビデ洗浄を行っている状態で駆動モータ４４を正転、逆転を交互に繰り返すように駆動させると、ノズル本体２２とノズルカバー２３は標準位置に対して前後に揺動した状態となる。そのため、洗浄水は人体の局所のより広い範囲を同時に洗浄できる。
【００７７】
ビデ洗浄の停止を操作すると、駆動モータ４４は逆回転し、ノズル本体２２およびノズルカバー２３は後方へ移動を開始する。収納のために後方へ移動する途中過程において、ノズルカバー２３に設けられた位置決め突起５１はノズルガイドの側部に設けられた後ストッパ５３に当接し、ノズルカバー２３はこれ以上後に移動することができない。さらにノズル本体２２を後方に移動させると連結片５０の連結突起５０ａが前凹陥部４８ａから外れる。前述のようにノズル本体２２を前後方向に移動させる駆動モータ４４の駆動トルクは連結突起５０ａを外すのに要する荷重値よりも大きく設定されている。そのためこのような動作が可能となる。
【００７８】
連結突起５０ａが前凹陥部４８ａから外れると、ノズル本体２２とノズルカバー２３は分離された状態となり、後ストッパ５３によって移動を規制されたノズルカバー２３に対して、ノズル本体２２だけが後方に移動する。そのため、ビデノズル部２６がノズルカバー２３の前端面に設けられたビデノズル出入口３５の内部へと収納し始める。さらにノズル本体２２を後方に移動させると連結突起５０ａは後凹陥部４８ｂにはまり込んでゆく。
【００７９】
連結突起５０ａが後凹陥部４８ｂに完全に嵌入すると、ビデノズル部２６がビデノズル出入口３５に対して完全に収納された状態となる。この時点でノズル本体２２はノズルガイド１９の後端に当接し、これ以上後方へ移動できない。制御部は、あらかじめ設定された制御シーケンスに基づき、駆動モータ４４の回転数による位置制御によって駆動モータ４４の回転を停止させる。
【００８０】
お尻洗浄またはビデ洗浄が終了し、ノズル本体２２が収納位置に停止した時点で、制御部はノズル洗浄制御を開始する。制御部は洗浄水供給部を制御し、ノズル洗浄流路３０に通水を開始する。これによりノズル洗浄が開始される。通水流路の切替および流量の調節は洗浄水供給部の流量調整弁によって行われる。
【００８１】
図８に示すノズル洗浄流路３０に通水すると、ノズル本体２２の大径部２５の前端部に設けられた２個のノズル洗浄噴出口３３（内部洗浄噴出口３３ａ、外部洗浄噴出口３３ｂ）から洗浄水が噴出する。外側面に設けられた外部洗浄噴出口３３ｂから噴出した洗浄水はノズルカバー２３に設けられたノズル洗浄開口３７を介してノズルカバー２３の外側に噴出する。そして、ノズルカバー２３を覆うノズルガイド１９の洗浄拡大部４０の内壁に当たり、はね返る洗浄水によってノズルカバー２３の外周壁およびお尻洗浄噴出口３１を洗浄する。また下方に向けて設けられた内部洗浄噴出口３３ａから噴出した洗浄水はノズル本体２２のビデノズル部２６の側部に流れ、ビデノズル部２６の表面およびビデ洗浄噴出口３２を洗浄する。
【００８２】
なお図８に示すように内部洗浄噴出口３３ａと外部洗浄噴出口３３ｂおよびノズル洗浄開口３７は、ノズル本体２２の直径方向からオフセットした方向に設定されている。そのため、噴出した洗浄水はノズルガイド１９およびノズルカバー２３の円周方向に旋回循環する旋回流となり、ノズル本体２２、ノズルカバー２３の汚れを効果的に除去することができる。洗浄し終わった洗浄水はノズルカバー２３とノズルガイド１９の下部に設けられた排水口３９、４１から排出される。
【００８３】
以上のように、ノズル装置１５は、ノズル本体２２と、ノズルカバー２３と、連結部分２４と、ノズルガイド１９を含むケーシング１６と、ノズル駆動部４３とを有する。ノズル本体２２には、洗浄水を噴出するお尻洗浄噴出口３１とビデ洗浄噴出口３２とノズル洗浄噴出口３３と、それぞれの噴出口に洗浄水を供給する流路２８、２９、３０とが設けられている。筒状のノズルカバー２３には、ノズル本体２２を覆いお尻洗浄噴出口３１に対応する噴出開口３６が設けられている。連結部分２４ではノズル本体２２とノズルカバー２３とが連結されている。ノズルガイド１９はノズル本体２２とノズルカバー２３とを収納する。ノズル駆動部４３はノズル本体２２の進退（前後方向の移動）を駆動する。すなわち、ノズル装置１５はノズル本体２２を収容するケーシング１６と、ノズル本体２２をケーシング１６に対して進退駆動するノズル駆動部４３と有する。この構成によってノズル本体を進退駆動することができる。そして噴出口３１〜３３と流路２８〜３０をノズル本体２２に集約して設け、ノズルカバー２３の構成を単純にすることができる。そのためノズル装置１５全体として小型で簡単な構成にできる。
【００８４】
しかもノズル本体２２とノズルカバー２３を相互に摺動させることにより、対応する噴出口と噴出開口の位置合わせをすることができる。これにより、お尻洗浄噴出口３１からの洗浄水は噴出開口３６を介して噴出する。したがって、洗浄水噴出時にはノズル本体２２、特にビデ洗浄噴出口３２とお尻洗浄噴出口３１の近傍はノズルカバー２３で覆われている。そのため洗浄により汚れた洗浄水でノズル本体２２が汚染されることがなく衛生的である。
【００８５】
また、ノズルカバー２３は、ステンレスで形成されたノズルカバー本体２３ａと、樹脂成型により形成されたカバー後端部材２３ｂを有する。ノズルカバー本体２３ａとカバー後端部材２３ｂは、固定突起２３ｄと固定穴２３ｅとの嵌合により固定されている。そのため、接着剤や接合部材を使用することなく簡単な構成で確実に接合されている。しかもノズルカバー本体２３ａをステンレスで形成したことにより、汚れが付着し難くまた付着した汚れを洗浄により容易に落とすことができる。
【００８６】
また、ビデ洗浄時はビデノズル部２６がノズルカバー２３の前端面より突出した状態で洗浄水を噴出する。そのため、洗浄対象に近づけて洗浄水を噴射することができ、しかも繊細な噴射形態が望まれるビデ洗浄をビデ洗浄噴出口３２から直接行うことができる。したがって最適な噴射形態を得ることができる。
【００８７】
また、ノズルカバー２３は、収納位置とお尻洗浄位置との間を、連結部分２４を介してノズル本体２２と連動する。そのため、ノズル本体２２のみをノズル駆動部４３で駆動するだけで、ノズル本体２２とノズルカバー２３の両方を連動して摺動することができる。また、ビデ洗浄位置へはノズル本体２２のみを単独で摺動することができる。このように１個のノズル駆動部４３で２個の駆動対象をそれぞれの最適位置まで駆動できる。そのため、装置を小型化できるとともに低コスト化することができる。
【００８８】
また、ノズル本体２２に設けられたノズル洗浄噴出口３３の外部洗浄噴出口３３ｂより噴出した洗浄水は、ノズル洗浄開口３７を介してノズルガイド１９の洗浄拡大部４０に噴出する。そして、ノズルガイド１９で反射してノズルカバー２３の外面とノズルガイド１９の内面を洗浄する。内部洗浄噴出口３３ａより噴出した洗浄水は、ノズルカバー２３で反射して主としてビデノズル部２６の外面とノズルカバー２３の内面を洗浄することができる。そのため、お尻洗浄とビデ洗浄において汚水や汚物で汚染されるノズル本体２２とノズルカバー２３のセルフクリーニング機構を小型で簡単な構成で実現できる。その結果、衛生的なノズル装置を作製することができる。
【００８９】
また、流路２８の湾曲部２８ｂの流路の中央より湾曲の中心寄りに整流壁２８ｃを設け、整流壁２８ｃの上流側の端部に旋回突起２８ｄが一体に形成されている。これにより湾曲部２８ｂにおいては、外周側の流速が速くなり、内周側の流速が遅くなる。この流速差によって整流壁２８ｃの下流側で旋回流が発生し、お尻噴出口３１に旋回流が流入する。
【００９０】
また、お尻洗浄噴出口３１を大孔部３１ｂと小孔部３１ａの２段形状とすることにより、洗浄水が断続流となって噴出して局部に当たる。そのため、実際に局部にかかる荷重よりも強く感じるため、使用者は高い洗浄感を得ることができる。このようなノズル装置１５を用いた衛生洗浄装置では局部に向けて噴出する洗浄水を３次元的に揺動した噴流とすることができる。そのため洗浄力を高めるとともに、人体に強い洗浄であるという感覚が生じる。したがって、衛生的で使い勝手のよい衛生洗浄装置を提供することができる。
【００９１】
なお本実施の形態において、ノズル駆動部４３には駆動モータ４４とウォームギアと変速ギア４５とピニオンギア４６を有するギアを介した伝達機構を採用している。しかしながら、これに限るものではなく、ベルトやチェーン等の伝達機構を使用してもよい。
【００９２】
また、本実施の形態においてはノズルカバー２３とビデノズル部２６をカバーする部材をステンレスで形成したが、これらの材料はこれに限るものではない。他の耐食性を備えた金属材料やセラミック等の無機材料あるいは樹脂材料でもよい。特にこれらの材料に抗菌あるいは殺菌性能や撥水性能等を付加したものを使用することにより、より清潔性を高めることができる。
【００９３】
また、本実施の形態において、連結部分２４の連結片５０は弾性を有する金属材料で形成したが、これに限るものではなく弾性を有する樹脂材料でもよい。樹脂材料を使用した場合、連結部分２４の連結部材４９を一体で成型することが可能となり安価に作ることが可能となる。
【００９４】
また、本実施の形態においては、整流壁２８ｃの厚さを０．５ｍｍとしたが、これに限るものではない。一般的にノズル基材２２ａと一体に樹脂成型で構成するためには、整流壁２８ｃの厚さを０．５〜１．０ｍｍ程度にすることが必要である。一方、流路の圧力損失を抑えるために整流壁２８ｃはできるだけ薄く形成することが望ましく、そのため本実施の形態においては最小厚さの０．５ｍｍを採用している。整流壁２８ｃをより薄く成型する方法としては整流壁２８ｃを金属等の別部材として形成して湾曲部２８ｂに配設する方法等がある。
【００９５】
また、本実施の形態においては、小孔部３１ａの厚みｄを０．５ｍｍとしたが、これに限るものではない。０．５〜１．５ｍｍの範囲の厚みにすることにより洗浄水の断続流が得られる。厚みｄを変えることにより希望する断続流を発生させることができる。また、大孔部３１ｂの開口面積を小孔部３１ａの約２倍としたが、この点に関しても１．５〜２．５倍の範囲で断続流が得られる。開口面積を変えることにより最適な断続流を得ることができる。
【００９６】
（実施の形態２）
図２３は本発明の実施の形態２におけるノズル装置のノズルユニットの要部断面斜視図であり、図２４は同ノズルユニットの要部断面斜視図である。すなわち、図２３はノズルカバー２３の外面を洗浄するカバー洗浄流路５７とカバー洗浄噴出口５８の要部の断面を示す。図２４はノズルカバー２３の内面とビデノズル部を洗浄するノズル洗浄流路（図示せず）とノズル洗浄噴出口６０の要部の断面を示している。
【００９７】
前述のように実施の形態１では、ノズル本体２２にノズル洗浄流路３０が設けられ、ノズル洗浄流路３０にノズル洗浄噴出口３３が連通している。ノズル洗浄噴出口３３の外部洗浄噴出口３３ｂから噴出する洗浄水はノズルカバー２３のノズル洗浄開口３７を介してノズルカバー２３の外側に噴出する。そしてノズルカバー２３を覆うノズルガイド１９の洗浄拡大部４０の内壁に当たり、はね返る洗浄水によってノズルカバー２３の外周壁およびお尻洗浄噴出口３１が洗浄される。また内部洗浄噴出口３３ａから噴出した洗浄水はノズル本体２２のビデノズル部２６の側部に流れ、ビデノズル部２６の表面およびビデ洗浄噴出口３２を洗浄する。
【００９８】
これに対し、本実施の形態においては、図２３、図２４に示すようにケーシング５５の上ケース５６の上部にカバー洗浄流路５７とカバー洗浄噴出口５８とが設けられている。カバー洗浄噴出口５８はノズルガイド１９の洗浄拡大部４０に向けて開放している。カバー洗浄噴出口５８はノズルガイド１９の中心軸の略上方の位置に設置されている。
【００９９】
図２４に示すようにノズル本体５９に設けられたノズル洗浄流路３０は下方に向けて開口したノズル洗浄噴出口６０に連通している。なお、ノズル洗浄噴出口６０の噴出方向はノズル本体５９の直径方向に対しオフセットした方向に設定されている。
【０１００】
以上のように構成された本実施の形態におけるノズル装置の動作、作用を以下に説明する。
【０１０１】
ノズル本体５９が収納位置に停止した状態で、制御部（図示せず）はノズル洗浄制御を開始する。制御部は洗浄水供給部を制御し、ノズル洗浄流路３０とカバー洗浄流路５７に通水を開始することでノズル洗浄が開始される。通水流路の切替および流量の調節は洗浄水供給部の流量調整弁によって行われる。
【０１０２】
ノズル洗浄流路３０に通水した洗浄水は、ノズル本体５９の前端部に設けられたノズル洗浄噴出口６０から下方に向けて噴出し、ノズル本体５９のビデノズル部の側部に流れる。このようにしてビデノズル部２６の表面およびビデ洗浄噴出口３２とノズルカバー２３の内面とが洗浄される。
【０１０３】
一方、カバー洗浄流路５７に通水された洗浄水はカバー洗浄噴出口５８から下方に向けて噴出し、ノズルカバー２３の外面に当たる。そして、ノズルカバー２３の外周とノズルガイド１９の洗浄拡大部４０の内壁との隙間を流れながらノズルカバー２３の外周壁とノズルガイド１９の内周壁とお尻洗浄噴出口３１を洗浄する。
【０１０４】
洗浄し終わった洗浄水はノズルカバー２３とノズルガイド１９の下部にそれぞれ設けられた排水口から排出される。
【０１０５】
このように本実施の形態においては、ノズル本体５９の洗浄に使用する流路３０、５７と噴出口６０、５８がノズルカバー２３の内部と外部に独立して設けられている。これにより、ノズルカバー２３の外周面とノズルカバー２３の内部に収容されるビデノズル部をそれぞれ最適な洗浄方法で効果的に洗浄することが可能となり、ノズル本体５９をより衛生的に使用することができる。
【０１０６】
なお、本実施の形態においては、ノズル洗浄流路３０とカバー洗浄流路５７への洗浄水の通水を同時に行う構成としたが、これに限るものではない。ノズル洗浄流路３０とカバー洗浄流路５７へ個別に通水してもよい。例えば、お尻洗浄が終了した後はカバー洗浄流路５７にのみ通水してノズルカバー２３の外周面とお尻洗浄噴出口３１を洗浄する。ビデ洗浄が終了した後はノズル洗浄流路３０にのみ通水してビデノズル部とノズルガイド１９の内周壁を洗浄する。このようにすれば洗浄水を無駄に使用することを抑制することが可能となる。
【０１０７】
なお実施の形態１、２では、洗浄水に旋回成分を付与する旋回部として、図１０に示す湾曲部２８ｂと、旋回突起２８ｄを有する整流壁２８ｃとを設け、湾曲部２８ｂ内に整流壁２８ｃを配置している。しかしながら本発明はこの構成に限定されない。米国特許７１９１４７３号や特開２００３−１９３５３７号公報に開示されているように、旋回部としてノズル本体に渦室を設けてもよい。
【０１０８】
あるいは、湾曲部２８ｂに相当する直線的な溝部と、旋回突起２８ｄを有する整流壁２８ｃに相当し、この溝部に配置される直線的な整流壁を設けてもよい。このような構成でも旋回突起２８ｄを設けた側では流速が小さくなり、反対側との流速差によって洗浄水に旋回成分を付与することができる。
【０１０９】
しかしながら湾曲部２８ｂを設けることによってより効果的に洗浄水に旋回成分を付与することができる。またお尻洗浄流路２８をノズル本体２２の中心軸から外れた位置に配置することができる。そのため、図１０に示すようにノズル洗浄流路３０をノズル本体２２に設けることができる。このようにノズル本体２２内部の片側に２つの流路を設けることができ、ビデノズル部２６を清潔に保つことができる。
【０１１０】
なお実施の形態１、２ではお尻洗浄流路２８に旋回部を設け、お尻洗浄噴出口３１に小孔部３１ａ、大孔部３１ｂを設けている。これ以外に、ビデ洗浄流路２９に旋回部を設け、ビデ洗浄噴出口３２に小孔部、大孔部を設けてもよい。両者に設けてもよい。このように複数の洗浄機能を１個のノズル装置１５に備えさせることが可能となり、小型のノズル装置１５を提供することができる。
【産業上の利用可能性】
【０１１１】
以上のように、本発明にかかるノズル装置は、洗浄力と洗浄感の高い噴出孔を備えたノズル装置を小型で簡単な構成とすることが可能となるため、局部洗浄以外のあらゆる洗浄装置などの用途にも適用できる。
【符号の説明】
【０１１２】
１０    便器
１１    衛生洗浄装置
１２    本体
１３    便座
１４    蓋
１５    ノズル装置
１６    ケーシング
１７    上ケース
１８    下ケース
１９    ノズルガイド
２０    先端開口
２１    ノズルユニット
２２    ノズル本体
２２ａ    ノズル基材
２２ｂ    ノズル蓋
２２ｃ    位置決め孔
２２ｄ    位置決めボス
２３    ノズルカバー
２３ａ    ノズルカバー本体
２３ｂ    カバー後端部材
２３ｃ    重合部
２３ｄ    固定突起
２３ｅ    固定穴
２３ｆ    突起
２３ｇ    凹部
２４    連結部分
２５    大径部
２６    ビデノズル部
２７    カバー
２８    お尻洗浄流路（流路）
２８ａ    洗浄水供給口
２８ｂ    湾曲部
２８ｃ    整流壁
２８ｄ    旋回突起
２８ｓ    直線部
２９    ビデ洗浄流路（流路）
２９ａ    洗浄水供給口
３０    ノズル洗浄流路（流路）
３０ａ    洗浄水供給口
３１    お尻洗浄噴出口（噴出口）
３１ａ    小孔部
３１ｂ    大孔部
３１ｃ    突起部
３２    ビデ洗浄噴出口（噴出口）
３３    ノズル洗浄噴出口（噴出口）
３３ａ    内部洗浄噴出口
３３ｂ    外部洗浄噴出口
３４    ラック
３５    ビデノズル出入口
３６    お尻洗浄開口（噴出開口）
３７    ノズル洗浄開口
３８    ラック開口
３９    排水口
４０    洗浄拡大部
４１    排水口
４２    ノズルシャッタ
４３    ノズル駆動部
４４    駆動モータ
４５    変速ギア
４６    ピニオンギア
４７    回転検知センサ
４８    連結受部
４８ａ    前凹陥部
４８ｂ    後凹陥部
４９    連結部材
４９ａ    連結部材本体
４９ｂ    摺動規制突起
５０    連結片
５０ａ    連結突起
５１    位置決め突起
５１ａ    摺動規制溝
５２    前ストッパ
５３    後ストッパ
５５    ケーシング
５６    上ケース
５７    カバー洗浄流路
５８    カバー洗浄噴出口
５９    ノズル本体
６０    ノズル洗浄噴出口
【図１】
2010101153.tif 000003
【図２】
2010101153.tif 000004
【図３】
2010101153.tif 000005
【図４】
2010101153.tif 000006
【図５】
2010101153.tif 000007
【図６】
2010101153.tif 000008
【図７】
2010101153.tif 000009
【図８】
2010101153.tif 000010
【図９】
2010101153.tif 000011
【図１０】
2010101153.tif 000012
【図１１】
2010101153.tif 000013
【図１２】
2010101153.tif 000014
【図１３】
2010101153.tif 000015
【図１４】
2010101153.tif 000016
【図１５】
2010101153.tif 000017
【図１６】
2010101153.tif 000018
【図１７】
2010101153.tif 000019
【図１８】
2010101153.tif 000020
【図１９】
2010101153.tif 000021
【図２０】
2010101153.tif 000022
【図２１】
2010101153.tif 000023
【図２２】
2010101153.tif 000024
【図２３】
2010101153.tif 000025
【図２４】
2010101153.tif 000026
【図２５】
2010101153.tif 000027
【図２６】
2010101153.tif 000028